(57)【要約】【課題】エンジン始動装置において、スタータモータを用いずにエンジンを確実に始動することができ、且つ、始動性の向上を図る。【解決手段】燃焼室１８に燃料を直接噴射するインジェクタ３７及び燃焼室１８の混合気に点火する点火プラグ３８を設けると共に、クランク角度を検出するクランク角センサ４４、吸気弁２１及び排気弁２２の開閉タイミングを変更可能な吸気・排気可変動弁機構２７，２８を設け、ＥＣＵ４２は、エンジン１０の再始動指令が入力されたときに、排気弁２２の閉止時期と吸気弁２１の開放時期のオーバーラップを確保しつつ、吸気弁２１及び排気弁２２を遅角する一方、クランク角センサ４１が検出した膨張行程にある気筒に対して燃料噴射を実行すると共に点火を実行する。【選択図】        図１
2006125276.tif 000002
【特許請求の範囲】
【請求項１】
燃焼室と、該燃焼室に連通する吸気ポート及び排気ポートと、前記吸気ポート及び前記排気ポートを開閉する吸気弁及び排気弁と、前記燃焼室に燃料を噴射する燃料噴射手段と、前記燃焼室内の混合気に点火する点火手段と、エンジンのクランク角度を検出するクランク角度検出手段と、前記排気弁の閉止時期と前記吸気弁の開放時期のオーバーラップを確保しつつ前記吸気弁の閉止時期を変更可能な可変動弁手段と、始動時までに前記可変動弁手段により前記吸気弁の閉止時期を遅角する一方、前記クランク角度検出手段の検出結果に基づいて膨張行程にある気筒に対して始動時に前記燃料噴射手段により燃料噴射を実行すると共に前記点火手段により点火を実行する制御手段とを具えたことを特徴とするエンジン始動装置。
【請求項２】
請求項１に記載のエンジン始動装置において、前記制御手段は、エンジン始動時に圧縮行程にある気筒に対して前記可変動弁手段により前記吸気弁の閉止時期を遅角した後、膨張行程にある気筒に対して前記燃料噴射及び前記点火を実行することを特徴とするエンジン始動装置。
【請求項３】
請求項１に記載のエンジン始動装置において、前記制御手段は、エンジン停止時に圧縮行程にある気筒に対して前記可変動弁手段により前記吸気弁の閉止時期を遅角し、エンジン始動時に膨張行程にある気筒に対して前記燃料噴射及び前記点火を実行することを特徴とするエンジン始動装置。
【請求項４】
請求項１に記載のエンジン始動装置において、前記可変動弁手段は、前記排気弁の閉止時期と前記吸気弁の開放時期のオーバーラップを確保しつつ、前記排気弁の開放時期を遅角すると共に前記吸気弁の閉止時期を遅角することを特徴とするエンジン始動装置。
【請求項５】
請求項１から４のいずれか一つに記載のエンジン始動装置において、前記可変動弁手段は、前記吸気弁及び前記排気弁の開放期間を変更せずに、前記吸気弁の開閉タイミングと前記排気弁の開閉タイミングをほぼ同量遅角することを特徴とするエンジン始動装置。
【請求項６】
請求項１から４のいずれか一つに記載のエンジン始動装置において、前記可変動弁手段は、前記吸気弁の開放期間を拡大することで、前記吸気弁の閉止時期のみを遅角することを特徴とするエンジン始動装置。
【請求項７】
請求項１から４のいずれか一つに記載のエンジン始動装置において、前記可変動弁手段は、前記排気弁の開放期間を拡大することで、前記排気弁の開放時期のみを遅角することを特徴とするエンジン始動装置。
【発明の詳細な説明】
【技術分野】
【０００１】
本発明は、スタータモータを用いることなくエンジンを始動させるエンジン始動装置に関するものである。
【背景技術】
【０００２】
近年、排気ガス対策や燃費向上などの手法として、車両がアイドル状態で停止しているときにエンジンを自動的に停止させ、発進時に自動的に再始動して円滑に発進させるようにした技術が各種提案されている。この場合、エンジンの再始動に時間が掛かるとドライバの発進意思に対してレスポンスが遅れてドライバビリティが悪化するため、素早く再始動させることが重要である。ところが、エンジンを始動する場合、一般にスタータモータを用いており、頻繁にエンジンの停止と始動を繰り返すことで、このスタータモータや周辺部品の寿命低下、また、バッテリーの使用過多による充電量の低下などを招いてしまう。
【０００３】
そこで、例えば、下記特許文献１では、燃料を吸気ポートではなく燃焼室に直接噴射する筒内噴射式のエンジンにて、スタータを用いることなくエンジンを始動可能としている。この特許文献１に記載された「エンジン始動装置」は、筒内噴射式エンジンにて、このエンジンの再始動時に、圧縮行程にある気筒の吸気弁の閉時期を遅角し、膨張行程にある気筒に所定量の燃料を噴射し、気筒内の混合気に点火することで燃焼させ、発生した膨張力によりピストンを押し下げて自己始動させるものである。
【０００４】
【特許文献１】特開２００２−３９０３８号公報
【発明の開示】
【発明が解決しようとする課題】
【０００５】
上述した従来の「エンジン始動装置」にあっては、圧縮行程にある気筒の吸気弁の閉時期を遅角する一方、膨張行程にある気筒に燃料を噴射・点火し、発生した膨張力によりピストンを押し下げて自己始動させるため、圧縮行程にある気筒の圧縮力を低下して自己始動が容易となる。この場合、圧縮行程にある気筒の吸気弁の閉時期を遅角する手段として、吸気弁の開閉タイミングを制御するバルブタイミング位相可変機構を用いている。
【０００６】
図１１は、従来のエンジン始動装置における吸気弁及び排気弁の開閉タイミングを表す概略図、図１２は、クランク角度に対する筒内圧を表すグラフを示す。
【０００７】
即ち、バルブタイミング位相可変機構を用いて、従来の「エンジン始動装置」のように、吸気弁の閉時期を遅角すると開時期も遅角することとなる。つまり、図１１に示すように、吸気弁の開閉タイミングを二点鎖線で示す期間から実線で示す期間に遅角することとなり、排気弁の閉時期（ＥＸ閉じ）と吸気弁の開時期（ＩＮ開き）との間に気筒が密閉状態となる気筒密閉期間が発生する。すると、この気筒密閉期間にピストンが下降するために気筒内が負圧状態となり、図１２に示すように、このピストンによるポンプロスが発生し、エンジンを始動するために必要な駆動トルクが増加して始動性が低下してしまうという問題がある。
【０００８】
本発明は、このような問題を解決するためのものであって、スタータモータを用いずにエンジンを確実に始動することができ、且つ、始動性の向上を図ったエンジン始動装置を提供することを目的とする。
【課題を解決するための手段】
【０００９】
上述した課題を解決し、目的を達成するために、本発明のエンジン始動装置は、燃焼室と、該燃焼室に連通する吸気ポート及び排気ポートと、前記吸気ポート及び前記排気ポートを開閉する吸気弁及び排気弁と、前記燃焼室に燃料を噴射する燃料噴射手段と、前記燃焼室内の混合気に点火する点火手段と、エンジンのクランク角度を検出するクランク角度検出手段と、前記排気弁の閉止時期と前記吸気弁の開放時期のオーバーラップを確保しつつ前記吸気弁の閉止時期を変更可能な可変動弁手段と、始動時までに前記可変動弁手段により前記吸気弁の閉止時期を遅角する一方、前記クランク角度検出手段の検出結果に基づいて膨張行程にある気筒に対して始動時に前記燃料噴射手段により燃料噴射を実行すると共に前記点火手段により点火を実行する制御手段とを具えたことを特徴とするものである。
【００１０】
また、本発明のエンジン始動装置では、前記制御手段は、エンジン始動時に圧縮行程にある気筒に対して前記可変動弁手段により前記吸気弁の閉止時期を遅角した後、膨張行程にある気筒に対して前記燃料噴射及び前記点火を実行することを特徴としている。
【００１１】
本発明のエンジン始動装置では、前記制御手段は、エンジン停止時に圧縮行程にある気筒に対して前記可変動弁手段により前記吸気弁の閉止時期を遅角し、エンジン始動時に膨張行程にある気筒に対して前記燃料噴射及び前記点火を実行することを特徴としている。
【００１２】
本発明のエンジン始動装置では、前記可変動弁手段は、前記排気弁の閉止時期と前記吸気弁の開放時期のオーバーラップを確保しつつ、前記排気弁の開放時期を遅角すると共に前記吸気弁の閉止時期を遅角することを特徴としている。
【００１３】
本発明のエンジン始動装置では、前記可変動弁手段は、前記吸気弁及び前記排気弁の開放期間を変更せずに、前記吸気弁の開閉タイミングと前記排気弁の開閉タイミングをほぼ同量遅角することを特徴としている。
【００１４】
本発明のエンジン始動装置では、前記可変動弁手段は、前記吸気弁の開放期間を拡大することで、前記吸気弁の閉止時期のみを遅角することを特徴としている。
【００１５】
本発明のエンジン始動装置では、前記可変動弁手段は、前記排気弁の開放期間を拡大することで、前記排気弁の開放時期のみを遅角することを特徴としている。
【発明の効果】
【００１６】
本発明のエンジン始動装置によれば、燃焼室に燃料を噴射する燃料噴射手段及び燃焼室内の混合気に点火する点火手段を設けると共に、エンジンのクランク角度を検出するクランク角度検出手段と、排気弁の閉止時期と吸気弁の開放時期のオーバーラップを確保しつつ吸気弁の閉止時期を変更可能な可変動弁手段とを設け、制御手段は、始動時までに吸気弁の閉止時期を遅角する一方、始動時に膨張行程にある気筒に対して燃料噴射を実行すると共に点火を実行するようにしたので、エンジン始動時には、吸気弁の閉止時期が遅角された状態で、膨張行程にある気筒に対して燃料噴射及びを点火が実行されることとなり、膨張行程にある気筒では、爆発で発生したトルクによりピストンを確実に下降させる一方、圧縮行程にある気筒では、圧縮力が低下するためにこのトルクにより容易にピストンを上昇させることができ、また、このとき、排気弁の閉止時期と吸気弁の開放時期のオーバーラップが確保されているため、気筒内の負圧によるポンプロスが抑制され、エンジンを始動するために必要な駆動トルクの増加を抑制してスタータモータを用いずにエンジンを確実に始動することができ、エンジンの始動性を向上することができる。
【発明を実施するための最良の形態】
【００１７】
以下に、本発明に係るエンジン始動装置の実施例を図面に基づいて詳細に説明する。なお、この実施例によりこの発明が限定されるものではない。
【実施例１】
【００１８】
図１は、本発明の実施例１に係るエンジン始動装置を表す概略構成図、図２は、実施例１のエンジン始動装置におけるエンジン制御を表すフローチャート、図３は、エンジン停止時における気筒内挙動を表す概略図、図４は、吸気弁及び排気弁の開閉タイミングを表す概略図、図５は、＃１気筒と＃３気筒の各筒内圧及びクランク角度の変化を表すグラフ、図６は、クランク角度に対する筒内圧を表すグラフである。
【００１９】
実施例１のエンジン始動装置が適用されたエンジンにおいて、図１に示すように、このエンジン１０は、筒内噴射式の４気筒直列型エンジンである。このエンジン１０にて、シリンダブロック１１上にシリンダヘッド１２が締結されており、このシリンダブロック１１に形成された複数のシリンダボア１３にピストン１４がそれぞれ上下移動自在に嵌合している。そして、シリンダブロック１１の下部にクランクケース１５が締結され、このクランクケース１５内にクランクシャフト１６が回転自在に支持されており、各ピストン１４はコネクティングロッド１７を介してこのクランクシャフト１６にそれぞれ連結されている。
【００２０】
燃焼室１８は、シリンダブロック１１とシリンダヘッド１２とピストン１４により構成されており、この燃焼室１８は、上部（シリンダヘッド１２の下面）の中央部が高くなるように傾斜したペントルーフ形状をなしている。そして、この燃焼室１８の上部、つまり、シリンダヘッド１２の下面に吸気ポート１９及び排気ポート２０が対向して形成されており、この吸気ポート１９及び排気ポート２０に対して吸気弁２１及び排気弁２２の下端部がそれぞれ位置している。この吸気弁２１及び排気弁２２は、シリンダヘッド１２に軸方向に沿って移動自在に支持されると共に、吸気ポート１９及び排気ポート２０を閉止する方向に付勢支持されている。また、シリンダヘッド１２には、吸気カムシャフト２３及び排気カムシャフト２４が回転自在に支持されており、吸気カム２５及び排気カム２６が図示しないローラロッカアームを介して吸気弁２１及び排気弁２２の上端部に接触している。
【００２１】
従って、エンジン１０に同期して吸気カムシャフト２３及び排気カムシャフト２４が回転すると、吸気カム２５及び排気カム２６がローラロッカアームを作動させ、吸気弁２１及び排気弁２２が所定のタイミングで上下移動することで、吸気ポート１９及び排気ポート２０を開閉し、吸気ポート１９と燃焼室１８、燃焼室１８と排気ポート２０とをそれぞれ連通することができる。
【００２２】
また、このエンジン１０の動弁機構は、運転状態に応じて吸気弁２１及び排気弁２２を最適な開閉タイミングに制御する吸気・排気可変動弁機構（ＶＶＴ：Variable Valve Timing-intelligent）２７，２８となっている。この吸気・排気可変動弁機構２７，２８は、例えば、吸気カムシャフト２３及び排気カムシャフト２４の軸端部にＶＶＴコントローラが設けられて構成され、電動モータ（または油圧ポンプ）によりカムスプロケットに対するカムシャフトとの位相を変更することで、吸気弁２１及び排気弁２２の開閉時期を進角または遅角することができるものである。この場合、吸気・排気可変動弁機構２７，２８は、吸気弁２１及び排気弁２２の作用角（開放期間）を一定としてその開閉時期を進角または遅角する。また、吸気カムシャフト２３及び排気カムシャフト２４には、その回転位相を検出するカムポジションセンサ２９，３０が設けられている。
【００２３】
吸気ポート１９には、インテークマニホールド３１を介してサージタンク３２が連結され、このサージタンク３２に吸気管３３が連結されており、この吸気管３３の空気取入口にはエアクリーナ３４が取付けられている。そして、このエアクリーナ３４の下流側にスロットル弁３５を有する電子スロットル装置３６が設けられている。また、シリンダヘッド１２には、燃焼室１８に直接燃料を噴射するインジェクタ（燃料噴射手段）３７が装着されており、このインジェクタ３７は、吸気ポート１９側に位置して上下方向に所定角度傾斜している。更に、シリンダヘッド１２には、燃焼室１８の上方に位置して混合気に着火する点火プラグ（点火手段）３８が装着されている。
【００２４】
一方、排気ポート２０には、エギゾーストマニホールド３９を介して排気管４０が連結されており、この排気管４０には排気ガス中に含まれるＨＣ、ＣＯ、ＮＯｘなどの有害物質を浄化処理する触媒装置４１が装着されている。
【００２５】
ところで、車両には電子制御ユニット（ＥＣＵ）４２が搭載されており、このＥＣＵ４２は、インジェクタ３７や点火プラグ３８などを制御可能となっている。即ち、吸気管３３の上流側にはエアフローセンサ４３が装着されており、計測した吸入空気量をＥＣＵ４２に出力している。また、電子スロットル装置３６は、現在のスロットル開度をＥＣＵ４２に出力している。更に、クランク角センサ（クランク角度検出手段）４４は、検出した各気筒のクランク角度をＥＣＵ４２に出力し、このＥＣＵ４２は検出したクランク角度に基いて各気筒における吸気、圧縮、膨張（爆発）、排気の各行程を判別すると共に、エンジン回転数を算出している。また、シリンダヘッド１２にはエンジン冷却水温を検出する水温センサ４５が設けられており、検出したエンジン冷却水温をＥＣＵ４２に出力している。従って、ＥＣＵ４２は、検出した吸入空気量、スロットル開度(またはアクセル開度)、エンジン回転数、エンジン冷却水温などのエンジン運転状態に基づいて、燃料噴射量、噴射時期、点火時期などを決定している。
【００２６】
また、ＥＣＵ４２は、エンジン運転状態に基づいて吸気・排気可変動弁機構２７，２８を制御可能となっている。即ち、低温時、エンジン始動時、アイドル運転時や軽負荷時には、排気弁２２の閉止時期と吸気弁２１の開放時期のオーバーラップをなくすことで、排気ガスが吸気ポート１９または燃焼室１８に吹き返す量を少なくし、燃焼安定及び燃費向上を可能とする。また、中負荷時には、このオーバーラップを大きくすることで、内部ＥＧＲ率を高めて排ガス浄化効率を向上させると共に、ポンピングロスを低減して燃費向上を可能とする。更に、高負荷低中回転時には、吸気弁２１の閉止時期を進角することで、吸気が吸気ポート１９に吹き返す量を少なくし、体積効率を向上させる。そして、高負荷高回転時には、吸気弁２１の閉止時期を回転数にあわせて遅角することで、吸入空気の慣性力に合わせたタイミングとし、体積効率を向上させる。
【００２７】
このように構成されたエンジン１０は、車両がアイドル状態で停止しているときにエンジンを自動的に停止させるエンジン自動停止機能と、エンジンが自動停止しているときに発進指令により自動的に再始動させるエンジン再始動機能を有している。そして、本実施例では、エンジン１０の再始動時に、スタータモータを使用せずに、筒内噴射機構を用いてエンジン１０を着火始動するようにしている。
【００２８】
即ち、制御手段としてのＥＣＵ４２は、エンジン１０の停止後に、クランク角センサ４４の検出結果に基づいて、膨張行程で停止している気筒を判別し、エンジン１０の再始動時に、この膨張行程で停止している気筒に対して燃料を噴射し、混合気に点火することで爆発力を得てピストン１４を介してクランクシャフト１６を駆動し、エンジン１０を再始動する。本実施例の場合、筒内噴射式の４気筒直列型エンジン１０であるため、図３に示すように、例えば、第１気筒＃１が上死点（ＴＤＣ）を越えて膨張行程で停止するとき、続く第３気筒＃３は圧縮行程で停止する。そして、膨張行程で停止した第１気筒＃１に対して燃料を噴射して着火始動し、この第１気筒＃１の爆発力によりピストン１４を押し下げると共に、クランクシャフト１６を介して第３気筒＃３のピストン１４を押し上げる。この場合、圧縮行程にある第３気筒＃３では、ピストン１４が上昇して燃焼室１８内の空気を圧縮する力を第１気筒＃１の爆発力から得ることから、第１気筒＃１では、ＴＤＣを超えた膨張行程後半で停止させ、第３気筒＃３では、ＢＴＤＣを超えた圧縮行程後半で停止させることが望ましい。
【００２９】
そして、本実施例では、エンジン運転状態に基づいて吸気・排気可変動弁機構２７，２８を制御可能であり、図３及び図４に示すように、エンジン１０の再始動時に、アイドル運転時に対して、排気弁２２の閉止時期と吸気弁２１の開放時期のオーバーラップを０度クランク角度以上に確保しつつ、吸気弁２１の閉止時期を遅角するようにしている。即ち、前述したように、膨張行程にある第１気筒＃１の爆発力によりピストン１４を介してクランクシャフト１６を回転するとき、吸気弁２１が閉じていると燃焼室１８が密閉状態となり、圧縮行程にある第３気筒＃３にて、ピストン１４が十分に上昇することができずにエンジン１０の再始動の妨げとなってしまう。そこで、エンジン１０の再始動時には、吸気可変動弁機構２７を制御し、吸気弁２１の閉止時期を、図４に二点鎖線で表すアイドル領域から、実線で表す再始動領域まで遅角することで、燃焼室１８が密閉状態となる期間を短縮し、圧縮行程にある第３気筒＃３にて、ピストン１４が適正に上昇してエンジン１０が確実に再始動可能としている。
【００３０】
また、吸気可変動弁機構２７は、吸気弁２１の開閉タイミングを変更するものであり、吸気弁２１の閉止時期を遅角すると開放時期を遅角することとなり、排気弁２２の閉止時期と吸気弁２１の開放時期のオーバーラップ領域がなくなり、排気弁２２が閉じてから吸気弁２１が開くまでは燃焼室１８が密閉状態となる。この密閉期間にピストン１４が下降すると燃焼室１８が負圧状態となり、ピストン１４によるポンプロスが発生してしまう。そこで、エンジン１０の再始動時には、吸気可変動弁機構２７により吸気弁２１の開閉時期を遅角すると共に、排気可変動弁機構２８により排気弁２２の開閉時期を、図４に二点鎖線で表すアイドル領域から、実線で表す再始動領域まで、吸気弁２１と同量遅角することで、排気弁２２の閉止時期と吸気弁２１の開放時期のオーバーラップ領域を確保する。そのため、燃焼室１８が密閉状態となる期間がなくなり、ピストン１４によるポンプロスの発生を防止するようにしている。
【００３１】
また、排気可変動弁機構２８により排気弁２２の開閉時期を遅角することで、排気弁２２の開放時期が遅くなることから、エンジン１０の再始動時に、膨張行程にある第１気筒＃１では、ピストン１４の下降中は排気弁２２が閉止状態にあり、膨張行程における燃焼圧の急激な低下を防止するようにしている。
【００３２】
ここで、上述した実施例１のエンジン始動装置の作動制御について、図２のフローチャートに基づいて詳細に説明する。
【００３３】
図１及び図２に示すように、ステップＳ１では、車両の運転中にエンジン１０の自動停止条件が成立したかどうかを判定する。ここで、エンジン１０の自動停止とは、アイドル運転中にエンジンを停止する、所謂、アイドルストップであり、例えば、エンジン１０の自動停止条件とは、車速が０km/h、ブレーキスイッチがＯＮ状態、シフトレバーの操作位置がニュートラル（Ｎ）位置であることが所定時間継続したことであり、このとき、車両は赤信号灯で停車していると判断して自動停止条件が成立したと判定する。なお、車両の減速中にエンジン１０を停止しても良く、この場合、エンジン１０の自動停止条件とは、車速が一定速度以下、エンジン回転数が一定回転以下、エンジン冷却水温が一定温度以下、冷暖房装置がＯＦＦ状態であり、このとき、車両は減速中であると判断して自動停止条件が成立したと判定する。
【００３４】
このステップＳ１にて、エンジン１０の自動停止条件が成立したと判定されると、ステップＳ２に移行して、インジェクタ３７による燃料噴射を停止すると共に、点火プラグ３８による点火を停止する。
【００３５】
ステップＳ３では、エンジン１０が自動停止している状態で、エンジン再始動条件が成立したかどうかを判定する。ここで、エンジン１０の再始動条件とは、例えば、車速が０km/h、ブレーキスイッチがＯＮ状態、シフトレバーの操作位置が走行（１、２、Ｄ、Ｒ）位置であるときに、ドライバに発進する意思があると判断して再始動条件が成立したと判定する。このステップＳ３にて、エンジン１０の再始動条件が成立したと判定されると、ステップＳ４に移行して、エンジン１０を着火始動するための準備に入る。
【００３６】
即ち、ステップＳ４にて、ＥＣＵ４２は、吸気・排気可変動弁機構２７，２８を制御することで、吸気弁２１と排気弁２２の開閉タイミングを所定量遅角する。この場合、吸気弁２１と排気弁２２の遅角量を同量とすることで、排気弁２２の閉止時期と吸気弁２１の開放時期のオーバーラップを確保する。そして、ステップＳ５にて、エンジン１０の自動停止中に、クランク角センサ４４の検出結果に基づいて膨張行程で停止している気筒を判別し、この膨張行程で停止している気筒の燃焼室１８に対してインジェクタ３７により所定量の燃料を噴射し、点火プラグ３８により混合気に点火することで、この気筒は爆発力を得てピストン１４を下降させる。
【００３７】
そして、膨張行程で停止している気筒が爆発してピストン１４を下降させるとクランクシャフト１６を回転し、この回転力が膨張行程で停止している気筒に続く気筒、つまり、圧縮行程で停止している気筒に伝達され、ピストン１４が上昇して圧縮行程が開始される。そして、この気筒に対して、同様に、インジェクタ３７により所定量の燃料を噴射し、点火プラグ３８により混合気に点火することで、この気筒は爆発力を得てピストン１４を下降させる。更に、この圧縮行程で停止している気筒に続く気筒に対しては、通常通りに吸気ポート１９から空気を吸入し、インジェクタ３７から所定量の燃料を噴射すると共に、点火プラグ３８により混合気に点火することで、爆発力を得てピストン１４を下降させることとなり、これらの爆発力が所定時間継続させることでクランクシャフト１６を駆動し、エンジン１０を再始動させる。
【００３８】
ここで、このときのエンジン挙動を詳細に説明する。図３に示すように、膨張行程で停止している気筒では、残留している空気（酸素）量に対して所定量の燃料が噴射され、適正な混合気に対して点火されることで爆発力を得て、ピストン１４を下降してクランクシャフト１６を回転させる。クランクシャフト１６の回転力は、膨張行程で停止している気筒に続く気筒、つまり、圧縮行程で停止している気筒に伝達され、この気筒のピストン１４を上昇させる。このとき、膨張行程で停止している気筒では、排気弁２２の開弁時期が遅角されているため、燃焼室１８内の密閉状態が長く継続されて燃焼圧の急激な低下が抑制されることとなり、燃焼ガスによる膨張力を促進してクランクシャフト１６を効率良く回転することができる。また、圧縮行程で停止している気筒では、吸気弁２１の閉止時期が遅角されているため、燃焼室１８内の開放状態が長く継続されて筒内圧の急激な上昇が抑制されることとなり、筒内圧がピストン１４を上昇させる大きな抵抗になることはなく、膨張行程で停止している気筒の膨張力により確実に圧縮行程を完了することができる。
【００３９】
即ち、図５に示すように、エンジン１０が再始動されるとき、膨張行程で停止している第１気筒＃１の膨張により筒内圧が所定圧まで上昇し、排気弁２２が開放して排気行程に移行することでこの筒内圧が徐々に下降する。このとき、排気弁２２の開弁時期が遅角されているため、同図二点鎖線で表すような筒内圧の急激な低下が抑制され、同図に実線で表すように筒内圧が徐々に低下する。また、圧縮行程で停止している第３気筒＃３の圧縮により筒内圧が所定圧まで徐々に上昇し、吸気弁２１が閉止して膨張行程に移行することでこの筒内圧が急激に上昇する。このとき、吸気弁２１の閉止時期が遅角されているため、同図二点鎖線で表すような圧縮行程での筒内圧の増大が抑制され、同図に実線で表すように筒内圧が低下する。従って、第１気筒＃１に続いて第３気筒＃３がＴＤＣを超えてクランクシャフト１６を回転させることで、エンジン１０は適正に始動される。
【００４０】
また、このとき、吸気弁２１及び排気弁２２の開閉タイミングを遅角しても、この排気弁２２の閉止時期と吸気弁２１の開放時期のオーバーラップが確保されており、全ての気筒において、燃焼室１８が密閉状態となる期間がなくなり、ピストン１４によるポンプロスの発生を防止することができる。即ち、図６に示すように、排気行程から吸気行程に移行するとき、吸気弁２１及び排気弁２２の開放時期がオーバーラップしているため、同図二点鎖線で表すような筒内圧の低下によるポンピングロスが抑制され、同図に実線で表すように筒内圧が一定に維持される。
【００４１】
その後、図２に戻り、ステップＳ６では、エンジン１０の着火始動が完了したかどうかを判定し、着火始動ができなかった場合には、ステップＳ７でスタータモータによりエンジン１０を始動する。そして、着火始動またはスタータモータ始動によりエンジン１０が再始動されると、ステップＳ８にて、ＥＣＵ４２は、吸気・排気可変動弁機構２７，２８を制御することで、吸気弁２１と排気弁２２の開閉タイミングを通常位置に戻す。
【００４２】
このように実施例１のエンジン始動装置にあっては、燃焼室１８に燃料を直接噴射するインジェクタ３７及び燃焼室１８の混合気に点火する点火プラグ３８を設けると共に、エンジン１０のクランク角度を検出するクランク角センサ４４、吸気弁２１及び排気弁２２の開閉タイミングを変更可能な吸気・排気可変動弁機構２７，２８を設け、ＥＣＵ４２は、エンジン１０の再始動指令が入力されたときに、排気弁２２の閉止時期と吸気弁２１の開放時期のオーバーラップを確保しつつ、吸気弁２１及び排気弁２２の開閉タイミングを遅角する一方、クランク角センサ４１が検出した膨張行程にある気筒に対して燃料噴射を実行すると共に点火を実行するようにしている。
【００４３】
従って、膨張行程で停止している気筒では、排気弁２２の開弁時期が遅角されて燃焼室１８の密閉状態が長く継続されることとなり、燃焼圧の急激な低下が抑制されて燃焼ガスによる膨張力を促進し、クランクシャフト１６を効率良く回転することができる。また、圧縮行程で停止している気筒では、吸気弁２１の閉止時期が遅角されて燃焼室１８内の開放状態が長く継続されることとなり、筒内圧の増大が抑制されてピストン１４を上昇させる大きな抵抗になることはなく、膨張行程で停止している気筒の膨張力により確実に圧縮行程を完了することができる。更に、吸気弁２１及び排気弁２２の開閉タイミングを遅角しても、この排気弁２２の閉止時期と吸気弁２１の開放時期のオーバーラップが確保されているため、排気行程から吸気行程への移行時に、ピストン１４によるポンプロスの発生を防止することができる。その結果、エンジン１０の再始動時に、膨張行程で停止している気筒に続いて圧縮行程で停止している気筒の燃焼室１８に燃料を噴射して点火することで適正な爆発力を確保することができ、スタータモータを用いずにエンジン１０を確実に始動することができる。
【実施例２】
【００４４】
図７は、本発明の実施例２に係るエンジン始動装置を表す概略構成図、図８は、実施例２のエンジン始動装置における吸気弁及び排気弁の開閉タイミングを表す概略図である。なお、前述した実施例で説明したものと同様の機能を有する部材には同一の符号を付して重複する説明は省略する。
【００４５】
実施例２のエンジン始動装置において、図７に示すように、エンジン１０の動弁機構は、運転状態に応じて吸気弁２１を最適な開閉タイミングに制御する吸気可変動弁機構５１となっている。この吸気可変動弁機構５１は、例えば、吸気カムシャフト２３の各吸気カム２５に隣接して設けられた図示しない第２吸気カムを有し、吸気カムシャフト２３を軸方向に移動して吸気カム２５と第２吸気カムとを切り換えることで、吸気弁２１の作用角を変更してそのリフト量を増減すると共に、閉止時期を進角または遅角することができるものである。
【００４６】
そして、ＥＣＵ４２は、エンジン運転状態に基づいてこの吸気可変動弁機構５１を制御可能であり、図８に示すように、エンジン１０の再始動時に、アイドル運転時に対して、排気弁２２の閉止時期と吸気弁２１の開放時期のオーバーラップを０度クランク角度以上に確保しつつ、吸気弁２１の閉止時期を遅角するようにしている。即ち、エンジン１０の再始動時に、吸気可変動弁機構５１を制御し、吸気弁２１の閉止時期を、図８に二点鎖線で表すアイドル領域から、実線で表す再始動領域まで遅角することで、燃焼室１８が密閉状態となる期間を短縮し、圧縮行程にある気筒にて、ピストン１４が適正に上昇してエンジン１０が確実に再始動可能としている。このとき、吸気弁２１の開放時期は変更しないため、排気弁２２の閉止時期と吸気弁２１の開放時期のオーバーラップ領域が確保され、燃焼室１８が密閉状態となる期間がなくなり、ピストン１４によるポンプロスの発生が防止される。
【００４７】
従って、図７及び図８に示すように、エンジン１０の自動停止条件が成立すると、インジェクタ３７による燃料噴射を停止すると共に、点火プラグ３８による点火を停止し、エンジン１０を自動停止する。この状態で、エンジン再始動条件が成立したら、ＥＣＵ４２は、吸気可変動弁機構５１を制御することで、吸気弁２１の作用角、つまり、閉止時期を所定量遅角する。そして、膨張行程で停止している気筒の燃焼室１８に対してインジェクタ３７により所定量の燃料を噴射し、点火プラグ３８により混合気に点火する。
【００４８】
すると、膨張行程で停止している気筒が爆発してピストン１４を下降させるとクランクシャフト１６を回転し、この回転力が膨張行程で停止している気筒に続く気筒、つまり、圧縮行程で停止している気筒に伝達され、ピストン１４が上昇して圧縮行程が開始される。このとき、圧縮行程で停止している気筒では、吸気弁２１の閉止時期が遅角されているため、燃焼室１８内の開放状態が長く継続されて筒内圧の急激な上昇が抑制されることとなり、筒内圧がピストン１４を上昇させる大きな抵抗になることはなく、膨張行程で停止している気筒の膨張力により確実に圧縮行程を完了することができる。そして、この気筒に対して、同様に、インジェクタ３７により所定量の燃料を噴射し、点火プラグ３８により混合気に点火することで、この気筒は爆発力を得てピストン１４を下降させる。また、このとき、吸気弁２１の閉止時期を遅角しても、吸気弁２１の開放時期は遅角されないために排気弁２２の閉止時期とのオーバーラップが確保されており、燃焼室１８が密閉状態となる期間がなくなり、ピストン１４によるポンプロスの発生を防止することができる。
【００４９】
その後、圧縮行程で停止している気筒に続く気筒に対して、通常通りに吸気ポート１９から空気を吸入し、インジェクタ３７から所定量の燃料を噴射すると共に、点火プラグ３８により混合気に点火することで、爆発力を得てピストン１４を下降させることとなり、こられの爆発力が所定時間継続させることでクランクシャフト１６を駆動し、エンジン１０を再始動させる。
【００５０】
このように実施例２のエンジン始動装置にあっては、吸気弁２１の作用角及び閉止時期を変更可能な吸気可変動弁機構５１を設け、ＥＣＵ４２は、エンジン１０の再始動指令が入力されたときに、排気弁２２の閉止時期と吸気弁２１の開放時期のオーバーラップを確保しつつ、吸気弁２１の閉止時期を遅角する一方、クランク角センサ４１が検出した膨張行程にある気筒に対して燃料噴射を実行すると共に点火を実行するようにしている。
【００５１】
従って、膨張行程で停止している気筒では、適正に爆発が発生してクランクシャフト１６を回転することができ、圧縮行程で停止している気筒では、吸気弁２１の閉止時期が遅角されて燃焼室１８内の開放状態が長く継続されることとなり、筒内圧の増大が抑制されてピストン１４を上昇させる大きな抵抗になることはなく、膨張行程で停止している気筒の膨張力により確実に圧縮行程を完了することができる。そして、吸気弁２１の閉止時期を遅角しても、排気弁２２との開放時期のオーバーラップが確保されているため、排気行程から吸気行程への移行時に、ピストン１４によるポンプロスの発生を防止することができる。その結果、エンジン１０の再始動時に、膨張行程で停止している気筒に続いて圧縮行程で停止している気筒の燃焼室１８に燃料を噴射して点火することで適正な爆発力を確保することができ、スタータモータを用いずにエンジン１０を確実に始動することができる。
【００５２】
また、エンジン１０の再始動時に吸気弁２１の作用角を拡大してその閉止時期を遅角するため、排気弁２２の閉止時期がＴＤＣ付近に維持されることとなり、内部ＥＧＲの増加を低減することができ、連続爆発時の発生トルクの低下を抑制することができる。更に、排気可変動弁機構を不要として動弁機構の小型化を図ることができると共に、製造コストの増加を抑制することができる。
【実施例３】
【００５３】
図９は、本発明の実施例３に係るエンジン始動装置を表す概略構成図、図１０は、実施例３のエンジン始動装置における吸気弁及び排気弁の開閉タイミングを表す概略図である。なお、前述した実施例で説明したものと同様の機能を有する部材には同一の符号を付して重複する説明は省略する。
【００５４】
実施例３のエンジン始動装置において、図９に示すように、エンジン１０の動弁機構は、運転状態に応じて吸気弁２１及び排気弁２２を最適な開閉タイミングに制御する吸気・排気可変動弁機構２７,６１となっている。この吸気可変動弁機構２７は、実施例１と同様に、吸気弁２１の作用角を一定としてその開閉タイミングを変更することで、吸気弁２１の開放時期と閉止時期を進角または遅角することができるものである。また、排気可変動弁機構６１は、例えば、排気カムシャフト２４の各吸気カム２６に隣接して設けられた図示しない第２排気カムを有し、排気カムシャフト２４を軸方向に移動して排気カム２６と第２排気カムとを切り換えることで、排気弁２２の作用角を変更してそのリフト量を増減すると共に、閉止時期を進角または遅角することができるものである。
【００５５】
そして、ＥＣＵ４２は、エンジン運転状態に基づいて吸気可変動弁機構２７を制御可能であり、図１０に示すように、エンジン１０の再始動時に、アイドル運転時に対して、吸気弁２１の開閉タイミング（開放時期及び閉止時期）を遅角するようにしている。一方、ＥＣＵ４２は、エンジン運転状態に基づいて排気可変動弁機構６１を制御可能であり、エンジン１０の再始動時に、アイドル運転時に対して、排気弁２１の閉止時期を吸気弁２１の開放時期に合わせて遅角することで、排気弁２２の閉止時期と吸気弁２１の開放時期のオーバーラップを０度クランク角度以上に確保するようにしている。
【００５６】
即ち、エンジン１０の再始動時に、吸気可変動弁機構５１により吸気弁２１の開放時期と閉止時期を、図１０に二点鎖線で表すアイドル領域から、実線で表す再始動領域まで遅角することで、燃焼室１８が密閉状態となる期間を短縮し、圧縮行程にある気筒にて、ピストン１４が適正に上昇してエンジン１０が確実に再始動可能としている。また、このエンジン１０の再始動時に、排気可変動弁機構５１により排気弁２２の閉止時期を、図１０に二点鎖線で表すアイドル領域から、実線で表す再始動領域まで、吸気弁２１と同量遅角することで、排気弁２２の閉止時期と吸気弁２１の開放時期のオーバーラップ領域を確保する。そのため、燃焼室１８が密閉状態となる期間がなくなり、ピストン１４によるポンプロスの発生を防止するようにしている。
【００５７】
従って、図９及び図１０に示すように、エンジン１０の自動停止条件が成立すると、インジェクタ３７による燃料噴射を停止すると共に、点火プラグ３８による点火を停止し、エンジン１０を自動停止する。この状態で、エンジン再始動条件が成立したら、ＥＣＵ４２は、吸気可変動弁機構２７を制御することで、吸気弁２１の開閉タイミング、つまり、開閉時期と閉止時期を所定量遅角し、排気可変動弁機構６１を制御することで、排気弁２２の作用角、つまり、閉止時期を所定量遅角する。そして、膨張行程で停止している気筒の燃焼室１８に対してインジェクタ３７により所定量の燃料を噴射し、点火プラグ３８により混合気に点火する。
【００５８】
すると、膨張行程で停止している気筒が爆発してピストン１４を下降させるとクランクシャフト１６を回転し、この回転力が膨張行程で停止している気筒に続く気筒、つまり、圧縮行程で停止している気筒に伝達され、ピストン１４が上昇して圧縮行程が開始される。このとき、圧縮行程で停止している気筒では、吸気弁２１の閉止時期が遅角されているため、燃焼室１８内の開放状態が長く継続されて筒内圧の急激な上昇が抑制されることとなり、筒内圧がピストン１４を上昇させる大きな抵抗になることはなく、膨張行程で停止している気筒の膨張力により確実に圧縮行程を完了することができる。そして、この気筒に対して、同様に、インジェクタ３７により所定量の燃料を噴射し、点火プラグ３８により混合気に点火することで、この気筒は爆発力を得てピストン１４を下降させる。また、このとき、吸気弁２１の開閉タイミングを遅角すると共に、排気弁２２の閉止時期を吸気弁２１の開放時期に合わせて遅角するため、排気弁２２の閉止時期と吸気弁２１の開放時期のオーバーラップが確保されることとなり、燃焼室１８が密閉状態となる期間がなくなり、ピストン１４によるポンプロスの発生を防止することができる。
【００５９】
その後、圧縮行程で停止している気筒に続く気筒に対して、通常通りに吸気ポート１９から空気を吸入し、インジェクタ３７から所定量の燃料を噴射すると共に、点火プラグ３８により混合気に点火することで、爆発力を得てピストン１４を下降させることとなり、これらの爆発力が所定時間継続させることでクランクシャフト１６を駆動し、エンジン１０を再始動させる。
【００６０】
このように実施例３のエンジン始動装置にあっては、吸気弁２１の開閉タイミングを変更可能な吸気可変動弁機構２７と、排気弁２２の作用角及び閉止時期を変更可能な排気可変動弁機構６１を設け、ＥＣＵ４２は、エンジン１０の再始動指令が入力されたときに、吸気弁２１の開閉タイミングを遅角すると共に、排気弁２２の閉止時期を遅角して吸気弁２１とのオーバーラップを確保し、クランク角センサ４１が検出した膨張行程にある気筒に対して燃料噴射を実行すると共に点火を実行するようにしている。
【００６１】
従って、膨張行程で停止している気筒では、適正に爆発が発生してクランクシャフト１６を回転することができ、圧縮行程で停止している気筒では、吸気弁２１の閉止時期が遅角されて燃焼室１８内の開放状態が長く継続されることとなり、筒内圧の増大が抑制されてピストン１４を上昇させる大きな抵抗になることはなく、膨張行程で停止している気筒の膨張力により確実に圧縮行程を完了することができる。そして、吸気弁２１の開放時期遅角に合わせて排気弁２２の閉止時期を遅角することで、両者の開放時期のオーバーラップが確保されることとなり、排気行程から吸気行程への移行時に、ピストン１４によるポンプロスの発生を防止することができる。その結果、エンジン１０の再始動時に、膨張行程で停止している気筒に続いて圧縮行程で停止している気筒の燃焼室１８に燃料を噴射して点火することで適正な爆発力を確保することができ、スタータモータを用いずにエンジン１０を確実に始動することができる。
【００６２】
なお、上述した各実施例では、エンジン１０の再始動指令が入力されると、吸気・排気可変動弁機構２７，２８，５１，６１により吸気弁２１及び排気弁２２の開閉タイミングを遅角し、その後、エンジン着火始動を実行するようにしたが、エンジン１０が自動停止するとき、または、自動停止した後に吸気・排気可変動弁機構２７，２８，５１，６１により吸気弁２１及び排気弁２２の開閉タイミングを遅角し、エンジン１０の再始動指令が入力されると、エンジン着火始動を実行するようにしてもよい。
【００６３】
また、上述した各実施例にて、エンジン１０を始動するときに、膨張行程で停止している気筒の燃焼室１８に対して燃料を噴射すると共に、点火することで燃焼させるようにしている。この場合、停止クランク角度及びエンジン冷却水温、更に、クランクケース内圧に基づいて燃料噴射量を設定するとよい。即ち、停止クランク角度により燃焼室１８の容積がわかり、エンジン冷却水温により空気密度がわかり、クランクケース内圧により筒内圧がわかるため、これらのデータにより最適な燃料噴射量を設定することができる。
【００６４】
また、上述した各実施例では、本発明のエンジン始動装置を、エンジン１０が自動停止したときの再始動装置として適用したが、エンジン１０が完全に停止した状態から、イグニッションキースイッチによる始動装置としても適用することができる。
【００６５】
そして、上述した各実施例では、本発明のエンジン始動装置を筒内噴射式の４気筒エンジンに適用して説明したが、この形式のエンジンに限らず、６気筒エンジンや直列型またはＶ型エンジンに適用することもできる。
【産業上の利用可能性】
【００６６】
以上のように、本発明に係るエンジン始動装置は、排気弁の閉止時期と吸気弁の開放時期のオーバーラップを確保しつつ吸気弁の閉止時期を遅角した後、膨張行程にある気筒に対して燃料噴射及び点火を実行して始動するものであり、筒内噴射式のエンジンであれば、いずれの種類のエンジンに用いても好適である。
【図面の簡単な説明】
【００６７】
【図１】本発明の実施例１に係るエンジン始動装置を表す概略構成図である。
【図２】実施例１のエンジン始動装置におけるエンジン制御を表すフローチャートである。
【図３】エンジン停止時における気筒内挙動を表す概略図である。
【図４】吸気弁及び排気弁の開閉タイミングを表す概略図である。
【図５】＃１気筒と＃３気筒の各筒内圧及びクランク角度の変化を表すグラフである。
【図６】クランク角度に対する筒内圧を表すグラフである。
【図７】本発明の実施例２に係るエンジン始動装置を表す概略構成図である。
【図８】実施例２のエンジン始動装置における吸気弁及び排気弁の開閉タイミングを表す概略図である。
【図９】本発明の実施例３に係るエンジン始動装置を表す概略構成図である。
【図１０】実施例３のエンジン始動装置における吸気弁及び排気弁の開閉タイミングを表す概略図である。
【図１１】従来のエンジン始動装置における吸気弁及び排気弁の開閉タイミングを表す概略図である。
【図１２】クランク角度に対する筒内圧を表すグラフである。
【符号の説明】
【００６８】
１０  エンジン
１４  ピストン
１６  クランクシャフト
１８  燃焼室
１９  吸気ポート
２０  排気ポート
２１  吸気弁
２２  排気弁
２７，５１  吸気可変動弁機構
２８，６１  排気可変動弁機構
３７  インジェクタ（燃料噴射手段）
３８  点火プラグ（点火手段）
４２  電子制御ユニット、ＥＣＵ（制御手段）
４４  クランク角センサ（クランク角度検出手段）
【図１】
2006125276.tif 000003
【図２】
2006125276.tif 000004
【図３】
2006125276.tif 000005
【図４】
2006125276.tif 000006
【図５】
2006125276.tif 000007
【図６】
2006125276.tif 000008
【図７】
2006125276.tif 000009
【図８】
2006125276.tif 000010
【図９】
2006125276.tif 000011
【図１０】
2006125276.tif 000012
【図１１】
2006125276.tif 000013
【図１２】
2006125276.tif 000014